(57)【特許請求の範囲】
【請求項１】
装置本体の中心軸と直交する平面内に配置された複数の光源と、
前記複数の光源を保持する保持部材とを備えた照明装置であって、
前記保持部材は、前記装置本体の中央部に設けられ、
前記複数の光源は、前記保持部材によって保持されることにより、前記平面と前記中心軸とが交差する点を中心とする仮想の正多角形の辺上の位置に各辺につき２個以上かつ同数配置されるとともに、そのそれぞれの光軸が前記仮想の正多角形の辺と直交しかつその出射方向が外側を向くように配置され、
その一部が前記仮想の正多角形の各頂点を通過するように、前記仮想の正多角形の外接円の円周を前記複数の光源の総数の２倍の数で等分する線分を前記中心から放射状に描画した場合に、これら描画した複数の線分のうちの前記仮想の正多角形の１つの頂点を通過する線分を基準にこれを１番目として前記平面内において前記中心回りに偶数番目に位置することとなる線分と前記仮想の正多角形の辺との交点またはその近傍に、前記複数の光源がそれぞれ配置されている、照明装置。
【請求項２】
装置本体の中心軸と直交する平面内に配置された複数の光源と、
前記複数の光源を保持する保持部材とを備えた照明装置であって、
前記複数の光源は、第１の色味の光をそれぞれ出射する複数の第１光源と、前記第１の色味とは異なる第２の色味の光をそれぞれ出射する複数の第２光源とを含み、
前記複数の第２光源の総数は、前記複数の第１光源の総数よりも少なく、
前記保持部材は、前記装置本体の中央部に設けられ、
前記複数の第１光源は、前記保持部材によって保持されることにより、前記平面と前記中心軸とが交差する点を中心とする仮想の正多角形の辺上の位置に各辺につき２個以上かつ同数配置されるとともに、そのそれぞれの光軸が前記仮想の正多角形の辺と直交しかつその出射方向が外側を向くように配置され、
前記複数の第２光源は、前記保持部材によって保持されることにより、前記仮想の正多角形の辺上の位置に各辺につき同数配置されるとともに、そのそれぞれの光軸が前記仮想の正多角形の辺と直交しかつその出射方向が外側を向くように配置され、
その一部が前記仮想の正多角形の各頂点を通過するように、前記仮想の正多角形の外接円の円周を前記第１光源の総数の２倍の数で等分する線分を前記中心から放射状に描画した場合に、これら描画した複数の線分のうちの前記仮想の正多角形の１つの頂点を通過する線分を基準にこれを１番目として前記平面内において前記中心回りに偶数番目に位置することとなる線分と前記仮想の正多角形の辺との交点またはその近傍に、前記複数の第１光源がそれぞれ配置され、
その一部が前記仮想の正多角形の各頂点を通過するように、前記仮想の正多角形の外接円の円周を前記複数の第２光源の総数の２倍の数で等分する線分を前記中心から放射状に描画した場合に、これら描画した複数の線分のうちの前記仮想の正多角形の１つの頂点を通過する線分を基準にこれを１番目として前記平面内において前記中心回りに偶数番目に位置することとなる線分と前記仮想の正多角形の辺との交点またはその近傍に、前記複数の第２光源がそれぞれ配置されている、照明装置。
【請求項３】
装置本体の中心軸と直交する平面内に配置された複数の光源と、
前記複数の光源を保持する保持部材とを備えた照明装置であって、
前記複数の光源は、第１の色味の光をそれぞれ出射する複数の第１光源と、前記第１の色味とは異なる第２の色味の光をそれぞれ出射する複数の第２光源とを含み、
前記複数の第２光源の総数は、前記複数の第１光源の総数よりも少なく、
前記保持部材は、前記装置本体の中央部に設けられ、
前記複数の第１光源は、前記保持部材によって保持されることにより、前記平面と前記中心軸とが交差する点を中心とする仮想の正多角形の辺上の位置に各辺につき２個以上かつ同数配置されるとともに、そのそれぞれの光軸が前記仮想の正多角形の辺と直交しかつその出射方向が外側を向くように配置され、
前記複数の第２光源は、前記保持部材によって保持されることにより、前記仮想の正多角形の辺上の位置に各辺につき同数配置されるとともに、そのそれぞれの光軸が前記仮想の正多角形の辺と直交しかつその出射方向が外側を向くように配置され、
その一部が前記仮想の正多角形の各頂点を通過するように、前記仮想の正多角形の外接円の円周を前記複数の第１光源の総数と前記複数の第２光源の総数との和の２倍の数で等分する線分を前記中心から放射状に描画した場合に、これら描画した複数の線分のうちの前記仮想の正多角形の１つの頂点を通過する線分を基準にこれを１番目として前記平面内において前記中心回りに偶数番目に位置することとなる線分と前記仮想の正多角形の辺との交点またはその近傍に、前記複数の第１光源および前記複数の第２光源のいずれかがそれぞれ配置され、
前記複数の第１光源および前記複数の第２光源のいずれかが配置される前記交点またはその近傍のうちの所定の交点またはその近傍に、前記複数の第２光源がそれぞれ配置され、
前記複数の第１光源および前記複数の第２光源のいずれかが配置される前記交点またはその近傍のうちの残る交点またはその近傍に、前記複数の第１光源がそれぞれ配置され、
前記所定の交点は、その一部が前記仮想の正多角形の各頂点を通過するように、前記仮想の正多角形の外接円の円周を前記複数の第２光源の総数の２倍の数で等分する線分を前記中心から放射状に描画した場合に、これら描画した複数の線分のうちの前記仮想の正多角形の１つの頂点を通過する線分を基準にこれを１番目として前記平面内において前記中心回りに偶数番目に位置することとなる線分と前記仮想の正多角形の辺との交点に最も近い位置にある交点である、照明装置。
【請求項４】
前記保持部材は、正多角柱状の外周面を有し、
前記複数の光源が、前記保持部材の前記外周面上に配設されている、請求項１から３のいずれかに記載の照明装置。
【請求項５】
前記装置本体は、前記中心軸と交差するように配設された天板部および底板部と、前記中心軸を囲繞するように配設された周壁部とを有し、
前記底板部には、前記複数の光源から出射された光を前記装置本体の外部に向けて照射するための照明窓部が設けられ、
前記天板部および前記周壁部には、前記複数の光源から出射された光の少なくとも一部を反射することで前記照明窓部に導光する反射部が設けられている、請求項１から４のいずれかに記載の照明装置。
【発明の詳細な説明】
【技術分野】
【０００１】
本発明は、照明装置に関し、より特定的には、放射照度分布に所定の指向性を有する光源を具備してなる照明装置に関する。
【背景技術】
【０００２】
近年、たとえば住宅等の室内の照明に用いられる照明装置として、ＬＥＤ（Light Emitting Diode）等の発光素子を光源として具備したものが普及してきている。ＬＥＤは、高輝度かつ低消費電力で長寿命であるといった特徴を有しており、さらには照明装置の小型化や軽量化に寄与するといった特徴も有している。
【０００３】
しかしながら、ＬＥＤは、白熱電球や蛍光灯に比べ、その放射照度分布に比較的強い指向性を有しているため、これを直接室内に向けて照射するように構成した場合には、ＬＥＤから出射された光が直接ユーザの目に入ることによってグレアが生じてしまう問題がある。そのため、ＬＥＤを光源として具備した照明装置においては、このような問題が生じることがないように機器を設計することが重要である。
【０００４】
当該グレアの発生が抑制可能に構成された照明装置としては、たとえば特開２０１１−１９２４７５号公報（特許文献１）や、特開２０１１−２０４６９９号公報（特許文献２）、特開２０１１−２０４７００号公報（特許文献３）等に開示のものがある。
【０００５】
上記特許文献１ないし３に開示の照明装置にあっては、偏平かつ略円柱状の外形を有する装置本体の中央部に径方向外側を向くように複数のＬＥＤが配置されるとともに、装置本体の天板部および側壁部に当該複数のＬＥＤに対向するように反射板が設けられ、複数のＬＥＤから径方向外側に向かって放射状に出射されることとなる光の大部分が反射板によって反射されて装置本体の底板部に設けられた照明窓部を介して外部に照射されるように構成されている。
【０００６】
このように構成することにより、ＬＥＤから出射された光の殆どが装置本体の外部に向けて直接出射されないことになるため、仮にユーザが照明装置を下方から直視した場合にも、ＬＥＤから出射された光が直接ユーザの目に入ることがなくなる。したがって、グレアが生じることが抑制され、ユーザの目に対する負担が大幅に軽減されることになる。
【先行技術文献】
【特許文献】
【０００７】
【特許文献１】特開２０１１−１９２４７５号公報
【特許文献２】特開２０１１−２０４６９９号公報
【特許文献３】特開２０１１−２０４７００号公報
【発明の概要】
【発明が解決しようとする課題】
【０００８】
ところで、照明装置においては、光が照射される全方位において光の均一性を確保することが重要になる。上述したように、ＬＥＤは、その放射照度分布に比較的強い指向性を有しているため、これを光源として具備した照明装置にあっては、当該光の均一性を確保することが困難になる。そのため、ＬＥＤの配置位置や配置ピッチ、反射板の配置位置や配置角度等が適宜調整されることにより、装置本体から照射させる光の照度ムラを抑制し、これによって光の均一性の確保が図られている。
【０００９】
たとえば、上記特許文献１ないし３に開示の照明装置にあっては、装置本体の略中央部に正多角柱状の外周面を有する保持枠が設けられ、当該保持枠の外周面上に複数のＬＥＤが周方向に沿って略等間隔に線状に配置されるようにし、これにより照度ムラが発生することが抑制されている。
【００１０】
ここで、保持枠の外周面が円柱状とされず正多角柱状とされる理由は、ＬＥＤの実装に際して、湾曲状の実装面を有する保持枠上にＬＥＤをその光軸を高精度に位置決めして実装することが困難であるためである。すなわち、保持枠の外周面を、円柱状に近似させた正多角柱状とすることにより、実装面を平面形状として高精度にＬＥＤの実装を可能にしつつ、照度ムラの発生を抑制可能にしている。
【００１１】
また、上記特許文献１ないし３に開示の照明装置にあっては、保持枠の正多角柱状の外周面の角部近傍において輝度が低下する懸念があるため、当該角部近傍におけるＬＥＤの配置ピッチを当該角部間に位置する中央部におけるＬＥＤの配置ピッチよりも小さくすることにより、当該部分においてＬＥＤをより密に配置することとし、これにより上述した角部近傍における輝度の低下を抑制することとしている。
【００１２】
上記の構成を採用した場合には、保持枠の各面に線状に配置されるＬＥＤの数を多くすれば多くするほど照度ムラの発生が抑制できることになる。しかしながら、保持枠の各面に線状に配置されるＬＥＤの数がそれほど多くない場合には、上記の構成では十分な照度ムラの抑制は期待できない。
【００１３】
したがって、放射照度分布に所定の指向性を有する光源を具備してなる照明装置において、照度ムラの発生をより確実に抑制するためには、本来的には厳密な意味において当該光源の配置位置や配置ピッチ等を最適化することが望ましいと言える。
【００１４】
本発明は、上述した問題点に鑑みてなされたものであり、製造が容易でかつ照度ムラの発生が確実に抑制できる照明装置を提供することを目的とする。
【課題を解決するための手段】
【００１５】
本発明の第１の局面に基づく照明装置は、装置本体の中心軸と直交する平面内に配置された複数の光源と、上記複数の光源を保持する保持部材とを備えている。上記保持部材は、上記装置本体の中央部に設けられている。上記複数の光源は、上記保持部材によって保持されることにより、上記平面と上記中心軸とが交差する点を中心とする仮想の正多角形の辺上の位置に各辺につき２個以上かつ同数配置されるとともに、そのそれぞれの光軸が上記仮想の正多角形の辺と直交しかつその出射方向が外側を向くように配置されている。
【００１６】
ここで、上記本発明の第１の局面に基づく照明装置にあっては、その一部が上記仮想の正多角形の各頂点を通過するように、上記仮想の正多角形の外接円の円周を上記複数の光源の総数の２倍の数で等分する線分を上記中心から放射状に描画した場合に、これら描画した複数の線分のうちの上記仮想の正多角形の１つの頂点を通過する線分を基準にこれを１番目として上記平面内において上記中心回りに偶数番目に位置することとなる線分と上記仮想の正多角形の辺との交点またはその近傍に、上記複数の光源がそれぞれ配置されている。
【００１７】
本発明の第２および第３の局面に基づく照明装置は、装置本体の中心軸と直交する平面内に配置された複数の光源と、上記複数の第１光源および上記複数の第２光源を保持する保持部材とを備えている。上記複数の光源は、第１の色味の光をそれぞれ出射する複数の第１光源と、上記第１の色味とは異なる第２の色味の光をそれぞれ出射する複数の第２光源とを含んでいる。上記複数の第２光源の総数は、上記複数の第１光源の総数よりも少ない。上記保持部材は、上記装置本体の中央部に設けられている。上記複数の第１光源は、上記保持部材によって保持されることにより、上記平面と上記中心軸とが交差する点を中心とする仮想の正多角形の辺上の位置に各辺につき２個以上かつ同数配置されるとともに、そのそれぞれの光軸が上記仮想の正多角形の辺と直交しかつその出射方向が外側を向くように配置されている。上記複数の第２光源は、上記保持部材によって保持されることにより、上記仮想の正多角形の辺上の位置に各辺につき同数配置されるとともに、そのそれぞれの光軸が上記仮想の正多角形の辺と直交しかつその出射方向が外側を向くように配置されている。
【００１８】
ここで、上記本発明の第２の局面に基づく照明装置にあっては、その一部が上記仮想の正多角形の各頂点を通過するように、上記仮想の正多角形の外接円の円周を上記第１光源の総数の２倍の数で等分する線分を上記中心から放射状に描画した場合に、これら描画した複数の線分のうちの上記仮想の正多角形の１つの頂点を通過する線分を基準にこれを１番目として上記平面内において上記中心回りに偶数番目に位置することとなる線分と上記仮想の正多角形の辺との交点またはその近傍に、上記複数の第１光源がそれぞれ配置されるとともに、その一部が上記仮想の正多角形の各頂点を通過するように、上記仮想の正多角形の外接円の円周を上記複数の第２光源の総数の２倍の数で等分する線分を上記中心から放射状に描画した場合に、これら描画した複数の線分のうちの上記仮想の正多角形の１つの頂点を通過する線分を基準にこれを１番目として上記平面内において上記中心回りに偶数番目に位置することとなる線分と上記仮想の正多角形の辺との交点またはその近傍に、上記複数の第２光源がそれぞれ配置されている。
【００１９】
一方、上記本発明の第３の局面に基づく照明装置にあっては、その一部が上記仮想の正多角形の各頂点を通過するように、上記仮想の正多角形の外接円の円周を上記複数の第１光源の総数と上記複数の第２光源の総数との和の２倍の数で等分する線分を上記中心から放射状に描画した場合に、これら描画した複数の線分のうちの上記仮想の正多角形の１つの頂点を通過する線分を基準にこれを１番目として上記平面内において上記中心回りに偶数番目に位置することとなる線分と上記仮想の正多角形の辺との交点またはその近傍に、上記複数の第１光源および上記複数の第２光源のいずれかがそれぞれ配置されている。上記複数の第１光源および上記複数の第２光源のいずれかが配置される上記交点またはその近傍のうちの所定の交点またはその近傍に、上記複数の第２光源がそれぞれ配置されており、上記複数の第１光源および上記複数の第２光源のいずれかが配置される上記交点またはその近傍のうちの残る交点またはその近傍に、上記複数の第１光源がそれぞれ配置されている。ここで、上記所定の交点は、その一部が上記仮想の正多角形の各頂点を通過するように、上記仮想の正多角形の外接円の円周を上記複数の第２光源の総数の２倍の数で等分する線分を上記中心から放射状に描画した場合に、これら描画した複数の線分のうちの上記仮想の正多角形の１つの頂点を通過する線分を基準にこれを１番目として上記平面内において上記中心回りに偶数番目に位置することとなる線分と上記仮想の正多角形の辺との交点に最も近い位置にある交点である。
【００２０】
上記本発明の第１ないし第３の局面に基づく照明装置にあっては、上記保持部材が、正多角柱状の外周面を有していることが好ましく、その場合に、上記複数の光源が、上記保持部材の上記外周面上に配設されていることが好ましい。
【００２１】
上記本発明の第１ないし第３の局面に基づく照明装置にあっては、上記装置本体が、上記中心軸と交差するように配設された天板部および底板部と、上記中心軸を囲繞するように配設された周壁部とを有していることが好ましい。その場合には、上記複数の光源から出射された光を上記装置本体の外部に向けて照射するための照明窓部が、上記底板部に設けられていることが好ましく、また、上記複数の光源から出射された光の少なくとも一部を反射することで上記照明窓部に導光する反射部が、上記天板部および上記周壁部に設けられていることが好ましい。
【発明の効果】
【００２２】
本発明によれば、製造が容易でかつ照度ムラの発生が確実に抑制できる照明装置とすることができる。
【図面の簡単な説明】
【００２３】
【図１】ＬＥＤを仮想の正多角形の辺上に１つ配置した場合に、当該仮想の正多角形を含む平面内における任意の点における照度の算出方法を導くための図である。
【図２】ＬＥＤを仮想の正多角形の辺上に１つ配置した場合に、当該仮想の正多角形を含む平面内において当該仮想の正多角形の中心から等距離にある点のうちで最大照度となる点を示す図である。
【図３】ＬＥＤの最適な配置位置の具体的な一例を示す図である。
【図４】ＬＥＤの最適な配置位置の具体的な他の一例を示す図である。
【図５】ＬＥＤの最適な配置位置および当該配置位置に対して許容可能となる取付け範囲を定めるに際して行なった数値解析の具体的な条件の一例を示す図である。
【図６】図５に示す条件に基づいて行なった照度分布の数値解析の結果を示すグラフである。
【図７】図５に示す条件に基づいて行なった照度分布の数値解析の結果を示すグラフである。
【図８】図５に示す条件に基づいて行なった照度分布の数値解析の結果を示すグラフである。
【図９】図５に示す条件に基づいて行なった照度分布の数値解析の結果を示すグラフである。
【図１０】図５に示す条件に基づいて行なった照度分布の数値解析の結果を示すグラフである。
【図１１】ＬＥＤの最適な配置位置および当該配置位置に対して許容可能となる取付け範囲を定めるに際して行なった数値解析の具体的な条件の他の一例を示す図である。
【図１２】図１１に示す条件に基づいて行なった照度分布の数値解析の結果を示すグラフである。
【図１３】図１１に示す条件に基づいて行なった照度分布の数値解析の結果を示すグラフである。
【図１４】図１１に示す条件に基づいて行なった照度分布の数値解析の結果を示すグラフである。
【図１５】図１１に示す条件に基づいて行なった照度分布の数値解析の結果を示すグラフである。
【図１６】図１１に示す条件に基づいて行なった照度分布の数値解析の結果を示すグラフである。
【図１７】本発明の実施の形態における照明装置の概略斜視図である。
【図１８】本発明の実施の形態における照明装置の透光カバーを取り外した状態を示す概略斜視図である。
【図１９】本発明の実施の形態における照明装置の透光カバーを取り外した状態を示す底面図である。
【図２０】本発明の実施の形態における照明装置の一部破断断面図である。
【図２１】本発明の実施の形態における照明装置に具備されたＬＥＤ実装基板の概略斜視図である。
【図２２】本発明の実施の形態における照明装置のＬＥＤの配置位置を示す要部拡大断面図である。
【図２３】第１変形例に係る照明装置に具備されるＬＥＤ実装基板の概略斜視図である。
【図２４】第２変形例に係る照明装置に具備されるＬＥＤ実装基板の概略斜視図である。
【発明を実施するための形態】
【００２４】
以下、本発明の実施の形態について、図を参照して詳細に説明する。以下においては、本発明の実施の形態における照明装置について具体的に説明するに先立ち、まず照度ムラを低減するために最適となるＬＥＤの配置位置の決定方法、当該決定方法に従った場合の具体的なＬＥＤの配置例、ＬＥＤの最適な配置位置に対して許容可能となる取付け範囲を定めるに際して行なった数値解析の条件および結果について説明する。
【００２５】
図１は、ＬＥＤを仮想の正多角形の辺上に１つ配置した場合に、当該仮想の正多角形を含む平面内における任意の点における照度の算出方法を導くための図であり、図２は、当該仮想の正多角形を含む平面内において当該仮想の正多角形の中心から等距離にある点のうちで最大照度となる点を示す図である。
【００２６】
照明装置において、装置本体の中心軸と直交する平面内において、当該平面と当該中心軸とが交差する点を中心とする仮想の正多角形の辺上に複数のＬＥＤを配置する場合には、上記平面内において上記仮想の正多角形よりも外側であってかつ上記中心からの距離が等距離にある点における照度が重要となる。すなわち、上記中心からの距離が等距離にある点における照度にばらつきが生じることにより、これがムラとなって光の均一性が損なわれることになるため、当該ばらつきを可能な限り抑制することが好ましい。
【００２７】
図１に示すように、仮想の正多角形２００の中心Ｏからの距離がＲである円３００（ここで、円３００は、仮想の正多角形２００の外側であることに限定する）を想定し、仮想の正多角形２００の隣り合う頂点Ｘ1，Ｘ2間の任意の点Ｐ（ここで、角ＹＯＰ＝θ1とする）にＬＥＤを配置した場合に、当該ＬＥＤから出射される光の上記円３００上の任意の点Ａにおける照度Ｅについて考える。なお、図中に示す点Ｙは、仮想の正多角形２００の２つの頂点Ｘ1，Ｘ2の間の中点であり、ＬＥＤは、その光軸５００が仮想の正多角形２００の辺と直交しかつその出射方向が外側を向くように配置されるものとする。
【００２８】
広角型ＬＥＤの多くがもつ照度の特性は、光軸方向に沿った基準距離における照度に対して、正面からの角度の余弦に比例するとともに距離の二乗に反比例するため、点Ａにおける照度Ｅは、一般に以下の式（１）で表わされる。なお、Ｉは、ＬＥＤの光度であり、θ2は、光軸５００と線分ＡＰとが成す角である。また、ＡＰは、線分ＡＰの長さである。
Ｅ＝（Ｉ×ｃｏｓθ2）／（ＡＰ×ＡＰ）  ・・・（１）
【００２９】
また、点Ａから仮想の正多角形２００の点Ｐを含む辺に下ろした垂線の足を点Ｑとすると、以下の式（２）が成り立つ。なお、ＡＱは、線分ＡＱの長さである。
ｃｏｓθ2＝ＡＱ／ＡＰ  ・・・（２）
【００３０】
したがって、上記式（２）を上記式（１）に代入することにより、上記式（１）は、以下の式（３）として表わされる。ただし、ＡＱ≧０である。
Ｅ＝（Ｉ×ＡＱ）／（ＡＰ×ＡＰ×ＡＰ）  ・・・（３）
【００３１】
上記式（３）に基づけば、照度Ｅは、ＡＱ＝０の場合に０となるため、ＡＱ＝０となる点、すなわち仮想の正多角形２００の点Ｐを含む辺の延長線と円３００との交点Ｚ1，Ｚ2に点Ａが位置する場合に、照度Ｅが０となる。そのため、角ＹＯＡをΘとすると、Θが以下の式（４）にある場合が定義域となる。
ａｒｃｃｏｓ（ＯＹ／ＯＺ1）＜Θ＜ａｒｃｃｏｓ（ＯＹ／ＯＺ2）  ・・・（４）
【００３２】
また、上記式（３）および上記式（４）に基づけば、定義域内においてＡＰおよびＡＱがいずれも正の値をとるため、照度Ｅは、θ2が０付近の値をとる場合に最大値となる。そのとき、ｃｏｓθ2＝１であるため、照度Ｅは、ＡＰが最小値をとる場合に最大値となるとみなしてよい。すなわち、図２に示すように、線分ＯＡが線分ＯＰに重なるΘ＝ａｒｃｃｏｓ（ＯＹ／ＯＰ）の場合（すなわちΘ＝θ1の場合）に、照度Ｅが、Ｅmax＝Ｉ／（ＡＰ×ＡＰ）となる。
【００３３】
この照度Ｅが最大値Ｅmaxとなる点が上記円３００の円周上に均等に現れるようにすることにより、照度ムラの少ない照明装置を実現することが可能になると考えられる。したがって、上記円３００の円周を上記仮想の正多角形２００の辺上に配置すべきＬＥＤの総数で当分する線分を上記中心Ｏから放射状に描画した場合に、これら描画した線分と上記仮想の正多角形２００の辺との交点にＬＥＤをそれぞれ配置することにより、照度ムラの発生が抑制可能になると推察される。
【００３４】
ここで、照度ムラをさらに抑制するためには、上記仮想の正多角形２００の各辺に配置されるＬＥＤが線分ＯＹを基準に線対称の位置に配置されることが好ましい。また、上記円３００は、仮想の正多角形２００の外接円と相似形でもある。
【００３５】
したがって、これらを考慮に入れて一般化すると、照度ムラの発生を抑制するための複数のＬＥＤの最適な配置位置は、その一部が上記仮想の正多角形２００の各頂点Ｘ1，Ｘ2，・・・を通過するように、当該仮想の正多角形２００の外接円の円周を上記複数のＬＥＤの総数の２倍の数で等分する線分を上記中心Ｏから放射状に描画した場合に、これら描画した複数の線分のうちの上記仮想の正多角形２００の１つの頂点を通過する線分を基準にこれを１番目として上記複数のＬＥＤが配置される平面内において上記中心Ｏ回りに偶数番目に位置することとなる線分と上記仮想の正多角形２００の辺との交点となる。ただし、ＬＥＤは、仮想の正多角形２００の辺上の位置に各辺につき２個以上かつ同数配置されることを前提とする。
【００３６】
図３および図４は、ＬＥＤの最適な配置位置の具体的な一例および他の一例を示す図である。
【００３７】
図３に示すように、複数のＬＥＤが、正八角柱状の外周面を有する保持枠の当該外周面上に周方向に沿って線状に合計１６個配置される場合には、仮想の正多角形２００が正八角形となり、その各辺にＬＥＤが２個ずつ配置されることになる。その場合には、上述したルールに従って、複数のＬＥＤが、図中に示すＰ1，Ｐ2，Ｐ3，Ｐ4，・・・の位置に合計１６個配置される。
【００３８】
ここで、隣り合うＬＥＤが位置するそれぞれの点と中心Ｏとを結んだ一対の線分の成す角αは、α＝３６０°／１６＝２２．５°であり、正八角形の頂点およびこれに隣り合う一方のＬＥＤが位置する点とを結んだ一対の線分の成す角α／２は、α／２＝２２．５°／２＝１１．２５°である。なお、図中に示す符号４００は、上記仮想の正多角形２００としての正八角形の外接円である。
【００３９】
また、図４に示すように、複数のＬＥＤが、正八角柱状の外周面を有する保持枠の当該外周面上に周方向に沿って線状に合計２４個配置される場合には、仮想の正多角形２００が正八角形となり、その各辺にＬＥＤが３個ずつ配置されることになる。その場合には、上述したルールに従って、複数のＬＥＤが、図中に示すＰ1，Ｐ2，Ｐ3，Ｐ4，Ｐ5，Ｐ6，・・・の位置に合計２４個配置される。
【００４０】
ここで、隣り合うＬＥＤが位置するそれぞれの点と中心Ｏとを結んだ一対の線分の成す角αは、α＝３６０°／２４＝１５°であり、正八角形の頂点およびこれに隣り合う一方のＬＥＤが位置する点とを結んだ一対の線分の成す角α／２は、α／２＝１５°／２＝７．５°である。なお、図中に示す符号４００は、上記仮想の正多角形２００としての正八角形の外接円である。
【００４１】
このように、上述したルールに従ってＬＥＤが配置されることにより、照度Ｅが最大値Ｅmaxとなる点が仮想の正多角形２００の中心Ｏからの距離が等距離である円３００の円周上に均等に現れることになり、照度ムラの少ない照明装置を実現することが可能になる。なお、上述したルールに従ってＬＥＤが配置された場合には、正多角形２００の角部近傍におけるＬＥＤの配置ピッチが、当該角部間に位置する中央部におけるＬＥＤの配置ピッチよりも大きくなることになる。
【００４２】
図５は、ＬＥＤの最適な配置位置および当該配置位置に対して許容可能となる取付け範囲を定めるに際して行なった数値解析の具体的な条件の一例を示す図であり、図６ないし図１０は、図５に示す条件に基づいて行なった照度分布の数値解析の結果を示すグラフである。
【００４３】
図５に示すように、本数値解析においては、複数のＬＥＤが仮想の正多角形２００としての正八角形の各辺に２個ずつ上記ルールに従って配置された場合（すなわち、α＝２２．５°）を想定し、当該正八角形の頂点と中心Ｏとの間の距離（代表的には、線分ＯＸ1の長さ）を２４０ｍｍとし、ＬＥＤが配置される平面内であって上記中心Ｏからの距離Ｒがそれぞれ２４０ｍｍ、２５０ｍｍ、２７０ｍｍ、３００ｍｍ、３２０ｍｍ、３５０ｍｍである円３００の円周上における照度分布を算出した。
【００４４】
また、ＬＥＤの最適な配置位置に対して許容可能となる取付け範囲を定めることを念頭に置き、線分ＯＹ（Ｙは、頂点Ｘ1，Ｘ2の間の中点）を基準として、ＬＥＤの最適な配置位置（すなわち、α／２＝１１．２５°の位置）から実際のＬＥＤの配置位置が図中に示す中心角βがβ＝０．４α，０．４５α，０．５５α，０．６αとなる位置にずれた場合を想定し、これらについても上記条件の下に照度分布を算出した。
【００４５】
図６は、上記条件の下にＬＥＤが最適な配置位置に配置された場合（すなわち、β＝０．５αの場合）の数値解析結果を示している。また、図７は、上記条件の下にβ＝０．４αとなる位置にＬＥＤが配置された場合の数値解析結果を示しており、図８は、β＝０．４５αとなる位置にＬＥＤが配置された場合の数値解析結果を示している。さらに、図９は、β＝０．５５αとなる位置にＬＥＤが配置された場合の数値解析結果を示しており、図１０は、β＝０．６αとなる位置にＬＥＤが配置された場合の数値解析結果を示している。
【００４６】
図６を参照して、ＬＥＤが最適な配置位置に配置された場合（すなわち、β＝０．５αの場合）には、Ｒ＝２４０ｍｍ，２５０ｍｍ，２７０ｍｍ，３００ｍｍ，３２０ｍｍ，３５０ｍｍである円３００の円周上において最大照度となる点がそれぞれ周方向に沿ってほぼ均等の位置に現れることが確認されるとともに、それぞれの円３００の円周上における最大照度となる点と最小照度となる点との間の差が小さく抑制されていることが確認された。
【００４７】
また、図８および図９を参照して、β＝０．４５α，０．５５αの場合には、上述したＬＥＤが最適な配置位置に配置された場合（すなわち、β＝０．５αの場合）に比べて、Ｒ＝２４０ｍｍ，２５０ｍｍ，２７０ｍｍ，３００ｍｍ，３２０ｍｍ，３５０ｍｍである円３００の円周上において最大照度となる点が僅かに周方向に沿ってずれることが確認されるとともに、それぞれの円３００の円周上における最大照度となる点と最小照度となる点との間の差が僅かに大きくなることが確認された。
【００４８】
一方、図７および図１０を参照して、β＝０．４α，０．６αの場合には、上述したＬＥＤが最適な配置位置に配置された場合（すなわち、β＝０．５αの場合）に比べて、Ｒ＝２４０ｍｍ，２５０ｍｍ，２７０ｍｍ，３００ｍｍ，３２０ｍｍ，３５０ｍｍである円３００の円周上において最大照度となる点が許容できない程度に大きく周方向に沿ってずれることが確認されるとともに、それぞれの円３００の円周上における最大照度となる点と最小照度となる点との間の差が許容できない程度に大きくなることが確認された。
【００４９】
図１１は、ＬＥＤの最適な配置位置および当該配置位置に対して許容可能となる取付け範囲を定めるに際して行なった数値解析の具体的な他の条件の一例を示す図であり、図１２ないし図１６は、図１１に示す条件に基づいて行なった照度分布の数値解析の結果を示すグラフである。
【００５０】
図１１に示すように、本数値解析においては、複数のＬＥＤが仮想の正多角形２００としての正六角形の各辺に２個ずつ上記ルールに従って配置された場合（すなわち、α＝３０°）を想定し、当該正六角形の頂点と中心Ｏとの間の距離（代表的には、線分ＯＸ1の長さ）を２４０ｍｍとし、ＬＥＤが配置される平面内であって上記中心Ｏからの距離Ｒがそれぞれ２４０ｍｍ、２５０ｍｍ、２７０ｍｍ、３００ｍｍ、３２０ｍｍ、３５０ｍｍである円３００の円周上における照度分布を算出した。
【００５１】
また、ＬＥＤの最適な配置位置に対して許容可能となる取付け範囲を定めることを念頭に置き、線分ＯＹ（Ｙは、頂点Ｘ1，Ｘ2の間の中点）を基準として、ＬＥＤの最適な配置位置（すなわち、α／２＝１５°の位置）から実際のＬＥＤの配置位置が図中に示す中心角βがβ＝０．４α，０．４５α，０．５５α，０．６αとなる位置にずれた場合を想定し、これらについても上記条件の下に照度分布を算出した。
【００５２】
図１２は、上記条件の下にＬＥＤが最適な位置に配置された場合（すなわち、β＝０．５αの場合）の数値解析結果を示している。また、図１３は、上記条件の下にβ＝０．４αとなる位置にＬＥＤが配置された場合の数値解析結果を示しており、図１４は、β＝０．４５αとなる位置にＬＥＤが配置された場合の数値解析結果を示している。さらに、図１５は、β＝０．５５αとなる位置にＬＥＤが配置された場合の数値解析結果を示しており、図１６は、β＝０．６αとなる位置にＬＥＤが配置された場合の数値解析結果を示している。
【００５３】
図１２を参照して、ＬＥＤが最適な位置に配置された場合（すなわち、β＝０．５αの場合）には、Ｒ＝２４０ｍｍ，２５０ｍｍ，２７０ｍｍ，３００ｍｍ，３２０ｍｍ，３５０ｍｍである円３００の円周上において最大照度となる点がそれぞれ周方向に沿ってほぼ均等の位置に現れることが確認されるとともに、それぞれの円３００の円周上における最大照度となる点と最小照度となる点との間の差が小さく抑制されていることが確認された。
【００５４】
また、図１４および図１５を参照して、β＝０．４５α，０．５５αの場合には、上述したＬＥＤが最適な位置に配置された場合（すなわち、β＝０．５αの場合）に比べて、Ｒ＝２４０ｍｍ，２５０ｍｍ，２７０ｍｍ，３００ｍｍ，３２０ｍｍ，３５０ｍｍである円３００の円周上において最大照度となる点が僅かに周方向に沿ってずれることが確認されるとともに、それぞれの円３００の円周上における最大照度となる点と最小照度となる点との間の差が僅かに大きくなることが確認された。
【００５５】
一方、図１３および図１６を参照して、β＝０．４α，０．６αの場合には、上述したＬＥＤが最適な位置に配置された場合（すなわち、β＝０．５αの場合）に比べて、Ｒ＝２４０ｍｍ，２５０ｍｍ，２７０ｍｍ，３００ｍｍ，３２０ｍｍ，３５０ｍｍである円３００の円周上において最大照度となる点が許容できない程度に大きく周方向に沿ってずれることが確認されるとともに、それぞれの円３００の円周上における最大照度となる点と最小照度となる点との間の差が許容できない程度に大きくなることが確認された。
【００５６】
以上の結果を踏まえると、上述したルールに従ってＬＥＤが最適な配置位置に配置された場合のみならず、当該最適な配置位置の近傍（すなわち、当該最適な配置位置に対して仮想の正多角形２００の中心Ｏを基準に±１０％の中心角の角度範囲内にある仮想の正多角形２００の辺上）にＬＥＤが配置された場合にも、十分に照度ムラの発生を抑制することが可能になると判断できる。したがって、ＬＥＤの最適な配置位置またはこれに近接して他の電子部品等を配置する必要があり、上述したルールに従ってＬＥＤが最適な配置位置に配置できない場合等には、上述した当該最適な配置位置の上記近傍（すなわち、上述した角度範囲内にある仮想の正多角形２００の辺上）にＬＥＤを配置することとすればよい。
【００５７】
図１７は、本発明の実施の形態における照明装置の概略斜視図である。図１８は、図１７に示す照明装置の透光カバーを取り外した状態を示す概略斜視図であり、図１９は、当該状態における底面図である。また、図２０は、図１７に示す照明装置の一部破断断面図であり、図２１は、当該照明装置に具備されたＬＥＤ実装基板の概略斜視図である。
【００５８】
図１７および図２０に示すように、本実施の形態における照明装置１は、偏平かつ略円柱状の外形を有する装置本体２を備えている。照明装置１は、図示しない取付け具を介して室内の天井面１０００（図２０参照）に設置されることにより、室内の床面に向けて照明光を照射し、これにより室内の照明に供されるものである。
【００５９】
装置本体２は、その中心軸１００と交差するように配設された天板部および底板部と、当該中心軸１００を囲繞するように配設された周壁部とを有している。
【００６０】
具体的には、図１７ないし図２０に示すように、装置本体２は、下面が開口した偏平な有底略円筒状のシャーシ１０と、当該シャーシ１０の内底面および内周面を覆うように配設された偏平なドーム状の反射板１１と、上記シャーシ１０の開口した下面を覆うように配設された偏平な略円盤状の透光カバー１２と、当該透光カバー１２の中央部近傍を覆うように配設された化粧カバー１３とを備えている。なお、化粧カバー１３は、装置本体２の略中央部を目隠しするためのものである。
【００６１】
ここで、上述した装置本体２の天板部および周壁部は、主としてシャーシ１０および反射板１１によって構成されており、上述した装置本体２の底板部は、透光カバー１２および化粧カバー１３によって構成されている。
【００６２】
図１８および図１９に示すように、装置本体２の内部の中央部には、正八角柱状の外周面を有する保持枠２０が設けられている。当該保持枠２０は、中空形状を有しており、その軸線が装置本体２の中心軸１００と合致するように配設されている。なお、保持枠２０は、その上端が装置本体２の天板部に固定されている。
【００６３】
保持枠２０の外周面を構成する８つの平面形状の外表面上には、ＬＥＤ３１が実装されたＬＥＤ実装基板３０がそれぞれ設けられている。
【００６４】
図２１に示すように、ＬＥＤ実装基板３０は、平板状の形状を有する平面視矩形状の基板からなり、その主表面上に複数のＬＥＤ３１が線状に実装されてなるものである。
【００６５】
図１８ないし図２０に示すように、上述したＬＥＤ実装基板３０は、その長手方向が保持枠２０の外周面の周方向に沿うように保持枠２０の上記平面形状の外表面のそれぞれに位置決めして固定されており、これにより、保持枠２０の外周面に周方向に沿って線状に複数のＬＥＤ３１が配置されることになる。なお、上述した保持枠２０およびＬＥＤ実装基板３０は、複数のＬＥＤ３１を保持する保持部材に相当する。
【００６６】
保持枠２０の中空形状の内部空間には、ＬＥＤを発光させる電力を供給するための電源回路等が設けられてなる図示しない電源基板等が収容されている。なお、当該電源回路への給電は、上述した図示しない取付け具に設けられた配線を介して外部の商用電源等に電源回路が接続されることで行なわれる。
【００６７】
また、図２０に示すように、装置本体２の底板部には、ＬＥＤ実装基板３０に実装されたＬＥＤ３１から出射された光を室内に向けて照射するための照明窓部が設けられている。当該照明窓部は、シャーシ１０の下面に位置する開口および当該開口を閉塞するように配設された透光カバー１２によって主として構成されている。
【００６８】
図２０に示すように、上記構成の照明装置１にあっては、装置本体２の中央部に径方向外側を向くように複数のＬＥＤ３１が配置され、当該複数のＬＥＤ３１から径方向外側に向かって放射状に出射されることとなる光の大部分が反射板１１によって反射されて上述した照明窓部を介して室内に照射されることになる。これにより、グレアが生じることが抑制されるとともに、装置本体２の厚みを薄型化することが可能になり、機能面および意匠面において優れた照明装置とすることができる。
【００６９】
なお、上記構成の照明装置１にあっては、保持枠２０の外周面を、円柱状に近似させた正八角柱状とすることにより、ＬＥＤ実装基板３０の実装面を平面形状として高精度にＬＥＤ３１の実装を可能にしている。
【００７０】
ここで、本実施の形態における照明装置１にあっては、装置本体２の中央部に配置された複数のＬＥＤ３１が、上述しルールに従って照度ムラを抑制するために最適となる配置位置に配置されており、これにより照度ムラの発生が確実に抑制されている。
【００７１】
図２２は、本実施の形態における照明装置のＬＥＤの配置位置を示す要部拡大断面図である。
【００７２】
図２２に示すように、本実施の形態における照明装置１にあっては、上述した正八角柱状の外周面を有する保持枠２０の当該外周面を構成する８つの平面形状の外表面上に、６個のＬＥＤ３１が線状に実装されたＬＥＤ実装基板３０がそれぞれ固定されている。この場合、仮想の正多角形２００が正八角形となり、その各辺にＬＥＤが６個ずつ配置されることになるため、保持枠２０には、合計で４８個のＬＥＤ３１が設けられることになる。
【００７３】
ここで、隣り合うＬＥＤ３１が位置するそれぞれの点と正八角形の中心Ｏとを結んだ一対の線分の成す角αは、α＝３６０°／４８＝７．５°となり、正八角形の頂点およびこれに隣り合う一方のＬＥＤ３１が位置する点とを結んだ一対の線分の成す角α／２は、α／２＝７．５°／２＝３．７５°となる。なお、図中に示す符号４００は、上記仮想の正多角形２００としての正八角形の外接円である。
【００７４】
上記に基づき、ＬＥＤ実装基板３０の長手方向の一方端に最も近い位置に配置されるＬＥＤ３１の当該ＬＥＤ実装基板３０の一方端からの距離Ｌ１、線状に並べて配置される６個のＬＥＤ３１の配置ピッチＬ２〜Ｌ６、および、ＬＥＤ実装基板３０の長手方向の他方端に最も近い位置に配置されるＬＥＤ３１の当該ＬＥＤ実装基板３０の他方端からの距離Ｌ７が予め決定され、これら距離Ｌ１，Ｌ７および配置ピッチＬ２〜Ｌ６に基づいて、図２１に示すように予めＬＥＤ実装基板３０にＬＥＤ３１が６個実装されることにより、当該ＬＥＤ３１が６個実装されたＬＥＤ実装基板３０が位置決めされて保持枠２０に合計８つ固定されることにより、上述したＬＥＤ３１の最適な配置位置が実現されることになる。
【００７５】
以上において説明したように、本実施の形態における照明装置１とすることにより、製造が容易となるとともに、照度ムラの発生が確実に抑制できることになり、光が照射される全方位において光の均一性が確保された安価に製作することができる照明装置とすることができる。
【００７６】
図２３および図２４は、第１および第２変形例に係る照明装置に具備されるＬＥＤ実装基板の概略斜視図である。
【００７７】
一般に、室内を照明する照明装置においては、照明機能に加え、調光機能をこれに具備させる場合が多い。調光機能は、照明装置から照射される照明光に異なる色味を与えることにより、ユーザに対して生活感の充実や心理的な効果を与えるためのものである。調光機能を実現するためには、異なる色味の光を出射するＬＥＤを照明装置に具備させ、これらの出力を調整することで照明光に異なる色味を与える手法が一般的である。
【００７８】
ここで、家庭用の照明装置にあっては、調光機能として大幅な色味の変化までもが要求されるものではないため、通常は、基本色としての白色光を出射する第１の光源としての基本色ＬＥＤと、白色光とは異なる色味の光を出射する第２の光源としての調色ＬＥＤとを混在させる手法が採用される。なお、調色ＬＥＤの総数は、基本色ＬＥＤの総数に比較して少なくされることが一般的である。
【００７９】
このような基本色ＬＥＤおよび調色ＬＥＤを備えた照明装置においても、光が照射される全方位において光の均一性を確保することが重要であり、上述した照度ムラの発生を抑制することが必要になるのみならず、色ムラについてもその発生を抑制することが必要になる。
【００８０】
ここで、第１変形例に係る照明装置にあっては、上述した照度ムラおよび色ムラの発生を抑制するために、基本色ＬＥＤおよび調色ＬＥＤをそれぞれ別個に上述したルールに従って保持枠上に配置することとしたものであり、第２変形例に係る照明装置にあっては、上述した照度ムラおよび色ムラの発生を抑制するために、基本色ＬＥＤおよび調色ＬＥＤを一纏まりとしておおよそ上述したルールに従って保持枠上に配置することとしたものである。
【００８１】
図２３に示すように、第１変形例に係る照明装置にあっては、ＬＥＤ実装基板３０の主表面上に複数の基本色ＬＥＤ３１Ａおよび複数の調色ＬＥＤ３１Ｂが配置されており、調色ＬＥＤ３１Ｂの総数は、基本色ＬＥＤ３１Ａの総数に比較して少なくされている。
【００８２】
ここで、複数の基本色ＬＥＤ３１Ａのそれぞれは、当該複数の基本色ＬＥＤ３１Ａが配置される仮想の正多角形の各頂点をその一部が通過するように、当該仮想の正多角形の外接円の円周を当該複数の基本色ＬＥＤ３１Ａの総数の２倍の数で等分する線分を上記仮想の正多角形の中心から放射状に描画した場合に、これら描画した複数の線分のうちの上記仮想の正多角形の１つの頂点を通過する線分を基準にこれを１番目として上記複数の基本色ＬＥＤ３１Ａが配置される平面内において上記中心回りに偶数番目に位置することとなる線分と上記仮想の正多角形の辺との交点またはその近傍に配置されている。
【００８３】
一方、複数の調色ＬＥＤ３１Ｂのそれぞれは、当該複数の調色ＬＥＤ３１Ｂが配置される仮想の正多角形の各頂点をその一部が通過するように、当該仮想の正多角形の外接円の円周を当該複数の調色ＬＥＤ３１Ｂの総数の２倍の数で等分する線分を上記仮想の正多角形の中心から放射状に描画した場合に、これら描画した複数の線分のうちの上記仮想の正多角形の１つの頂点を通過する線分を基準にこれを１番目として上記複数の調色ＬＥＤ３１Ｂが配置される平面内において上記中心回りに偶数番目に位置することとなる線分と上記仮想の正多角形の辺との交点またはその近傍に配置されている。
【００８４】
このように構成することにより、複数の基本色ＬＥＤ３１Ａおよび複数の調色ＬＥＤ３１Ｂのいずれについても、これらが照度ムラおよび色ムラの発生を抑制するための最適な配置位置に配置されることになり、光が照射される全方位において光の均一性を確保することが可能になる。なお、本第１変形例において示したＬＥＤの配置方法は、基本色ＬＥＤ３１Ａの総数が比較的少なく、そのため基本色ＬＥＤ３１Ａ間の配置ピッチが比較的大きく確保でき、その結果、調色ＬＥＤ３１Ｂを基本色ＬＥＤ３１Ａに物理的に干渉することなく最適な配置位置に配置できる場合に特に好適な配置方法である。
【００８５】
図２４に示すように、第２変形例に係る照明装置にあっては、ＬＥＤ実装基板３０の主表面上に複数の基本色ＬＥＤ３１Ａおよび複数の調色ＬＥＤ３１Ｂが配置されており、調色ＬＥＤ３１Ｂの総数は、基本色ＬＥＤ３１Ａの総数に比較して少なくされている。
【００８６】
ここで、複数の基本色ＬＥＤ３１Ａおよび複数の調色ＬＥＤ３１Ｂは、当該複数の基本色ＬＥＤ３１Ａおよび複数の調色ＬＥＤ３１Ｂが配置される仮想の正多角形の各頂点をその一部が通過するように、当該仮想の正多角形の外接円の円周を当該複数の基本色ＬＥＤ３１Ａの総数と当該複数の調色ＬＥＤ３１Ｂの総数の和の２倍の数で等分する線分を上記仮想の正多角形の中心から放射状に描画した場合に、これら描画した複数の線分のうちの上記仮想の正多角形の１つの頂点を通過する線分を基準にこれを１番目として上記複数の基本色ＬＥＤ３１Ａが配置される平面内において上記中心回りに偶数番目に位置することとなる線分と上記仮想の正多角形の辺との交点またはその近傍に、そのいずれかが配置されている。
【００８７】
複数の基本色ＬＥＤ３１Ａおよび複数の調色ＬＥＤ３１Ｂのいずれかが配置される上記交点またはその近傍のうちの所定の交点またはその近傍には、複数の調色ＬＥＤ３１Ｂがそれぞれ配置されており、複数の基本色ＬＥＤ３１Ａおよび複数の調色ＬＥＤ３１Ｂのいずれかが配置される上記交点またはその近傍のうちの残る交点またはその近傍には、複数の基本色ＬＥＤ３１Ａがそれぞれ配置されている。なお、上記所定の交点は、当該複数の調色ＬＥＤ３１Ｂが配置される仮想の正多角形の各頂点をその一部が通過するように、当該仮想の正多角形の外接円の円周を当該複数の調色ＬＥＤ３１Ｂの総数の２倍の数で等分する線分を上記仮想の正多角形の中心から放射状に描画した場合に、これら描画した複数の線分のうちの上記仮想の正多角形の１つの頂点を通過する線分を基準にこれを１番目として上記複数の調色ＬＥＤ３１Ｂが配置される平面内において上記中心回りに偶数番目に位置することとなる線分と上記仮想の正多角形の辺との交点に最も近い位置にある交点である。
【００８８】
このように構成することにより、複数の基本色ＬＥＤ３１Ａおよび複数の調色ＬＥＤ３１Ｂのいずれについても、これらが照度ムラおよび色ムラの発生を抑制するための最適な配置位置におおよそ配置されることになり、光が照射される全方位において光の均一性を確保することが可能になる。なお、本第２変形例において示したＬＥＤの配置方法は、基本色ＬＥＤ３１Ａの総数が比較的多く、そのため基本色ＬＥＤ３１Ａ間の配置ピッチが比較的小さくなってしまい、その結果、調色ＬＥＤ３１Ｂを基本色ＬＥＤ３１Ａに物理的に干渉することなく最適な配置位置に配置することが困難である場合に特に好適な配置方法である。
【００８９】
以上において説明した本発明の実施の形態およびその変形例においては、光源としてＬＥＤを具備してなる照明装置に本発明を適用した場合を例示して説明を行なったが、光源はＬＥＤに限定されるものではなく、放射照度分布に所定の指向性を有する光源であればどのような光源を具備した照明装置に対しても、本発明の適用が可能である。
【００９０】
また、上述した本発明の実施の形態およびその変形例においては、光源としてのＬＥＤが配置される仮想の正多角形として主として正八角形や正六角形とした場合を例示して説明を行なったが、正多角形であれば当然に他の形状とした場合にも本発明の適用が可能である。さらには、光源としてのＬＥＤの数や保持部材としての保持枠やＬＥＤ実装基板の形状等についても、上述した本発明の実施の形態およびその変形例において示した場合に限られるものではない。
【００９１】
このように、今回開示した上記実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００９２】
１  照明装置、２  装置本体、１０  シャーシ、１１  反射板、１２  透光カバー、１３  化粧カバー、２０  保持枠、３０  ＬＥＤ実装基板、３１  ＬＥＤ、３１Ａ  基本色ＬＥＤ、３１Ｂ  調色ＬＥＤ、１００  中心軸、２００  仮想の正多角形、３００  円、４００  外接円、５００  光軸、１０００  天井。
【図１】
0005762334.tif 000002
【図２】
0005762334.tif 000003
【図３】
0005762334.tif 000004
【図４】
0005762334.tif 000005
【図５】
0005762334.tif 000006
【図６】
0005762334.tif 000007
【図７】
0005762334.tif 000008
【図８】
0005762334.tif 000009
【図９】
0005762334.tif 000010
【図１０】
0005762334.tif 000011
【図１１】
0005762334.tif 000012
【図１２】
0005762334.tif 000013
【図１３】
0005762334.tif 000014
【図１４】
0005762334.tif 000015
【図１５】
0005762334.tif 000016
【図１６】
0005762334.tif 000017
【図１７】
0005762334.tif 000018
【図１８】
0005762334.tif 000019
【図１９】
0005762334.tif 000020
【図２０】
0005762334.tif 000021
【図２１】
0005762334.tif 000022
【図２２】
0005762334.tif 000023
【図２３】
0005762334.tif 000024
【図２４】
0005762334.tif 000025